【事件の表示】
　特願２００１−２１３４６７「複合高周波スイッチ、高周波モジュール及び通信機」拒絶査定不服審判事件〔平成１５年　１月３１日出願公開、特開２００３−　３２００１〕について、次のとおり審決する。
【結　論】
　本件審判の請求は、成り立たない。
【理　由】
第１．手続の経緯
　本願は、平成１３年７月１３日の出願であって、平成１７年２月４日付けで手続補正がなされたところ、同年２月２８日付けで拒絶査定がなされ、これに対し、同年４月２０日に拒絶査定に対する審判請求がなされるとともに、同年５月２０日付けで手続補正がなされたものである。
　
第２．補正却下の決定
［補正却下の決定の結論］
　平成１７年５月２０日付けの手続補正を却下する。
　
［理由］
１．補正後の本願発明
　平成１７年５月２０日付けの手続補正は、平成１７年２月４日付けの手続補正書の特許請求の範囲の請求項２を、次のように補正することを含むものである。
　
「【請求項２】
　第１端子、第２端子、第１制御端子、第２制御端子、第１ダイオード、第２ダイオード及び伝送線路を備えた複数の高周波スイッチからなる複合高周波スイッチであって、
　前記複数の高周波スイッチの少なくとも２つを第１、第２の高周波スイッチとしたとき、前記第１、第２の高周波スイッチの各々においては、前記第１端子、前記伝送線路、前記第１ダイオード及び前記第２端子が直列接続され、前記伝送線路の第１端子側が前記第２ダイオードを介してグランドに接続されるとともに、前記第２ダイオードのグランド側に前記第１制御端子が接続され、前記第１ダイオードの第２端子側に前記第２制御端子が接続されており、
　前記第１、第２の高周波スイッチは、前記第１、第２の高周波スイッチの各第１制御端子が互いに接続されるとともに、該接続点が抵抗を介して共通制御端子に接続されており、
　前記第１の高周波スイッチをオンする場合には、前記共通制御端子に、前記第１の高周波スイッチの前記第２制御端子に印加される正電圧よりも小さく、かつ、前記第２の高周波スイッチの前記第２制御端子に印加されるゼロ電圧よりも大きな電圧が印加されるように構成されている、ことを特徴とする複合高周波スイッチ。」（以下「補正発明」という。）
　
２．新規事項の有無、補正の目的要件について
　上記、「第１の高周波スイッチの第２制御端子に印加される電圧を正電圧」、及び、「第２の高周波スイッチの第２制御端子に印加される電圧をゼロ電圧」とする旨の補正は、願書に最初に添付した明細書又は図面に記載した事項の範囲内において、「第１の高周波スイッチの第２制御端子に印加される電圧」、及び、「第２の高周波スイッチの第２制御端子に印加される電圧」を限定するものであるから、特許法第１７条の２第３項の規定に適合し、特許法第１７条の２第４項第２号に規定する特許請求の範囲の減縮を目的とするものに該当する。
　また、補正後の本願発明の請求項１の「第１の高周波スイッチの第１制御端子に印加される電圧を正電圧」、及び、「第２の高周波スイッチの第１制御端子に印加される電圧をゼロ電圧」とする旨の補正は、願書に最初に添付した明細書又は図面に記載した事項の範囲内において、「第１の高周波スイッチの第１制御端子に印加される電圧」、及び、「第２の高周波スイッチの第１制御端子に印加される電圧」を限定するものであり、
　同じく補正後の請求項３の「第１の高周波スイッチの第２制御端子に印加される電圧を正電圧」、及び、「第２の高周波スイッチの第１制御端子に印加される電圧をゼロ電圧」とする旨の補正は、願書に最初に添付した明細書又は図面に記載した事項の範囲内において、「第１の高周波スイッチの第２制御端子に印加される電圧」、及び、「第２の高周波スイッチの第１制御端子に印加される電圧」を限定するものであるから、特許法第１７条の２第３項の規定に適合し、特許法第１７条の２第４項第２号に規定する特許請求の範囲の減縮を目的とするものに該当する。
　
３．独立特許要件について
　上記補正は特許請求の範囲の減縮を目的とするものであるから、上記補正発明が特許出願の際独立して特許を受けることができるものであるか（特許法第１７条の２第５項において準用する同法第１２６条第５項の規定に適合するか）について以下に検討する。
　
３．１　補正発明
　上記「１．補正後の本願発明」の項で認定したとおりである。
　
３．２　引用発明
　原査定の拒絶の理由に引用された国際公開第００／３８３４１号パンフレット（以下、「引用例」という。）には、「アンテナスイッチモジュール」の発明に関し、図面とともに以下の事項ａ〜ｃが記載されている。
　
・摘記事項ａ　（第１頁第６行ないし同頁第１０行）
「The present invention regards a switching circuit having a 
plurality of sets of switchable transceiver terminals for connecting
individually to a common antenna, each set comprising a plurality
of PIN diodes and a DC network for applying switching bias
voltage from a DC source for connecting a selected one of said
sets to said common antenna and for disconnecting non-selected
sets from said antenna.」
　訳文「本発明は、共通アンテナに個別に接続する複数の組のスイッチング可能トランシーバー端子を有するスイッチング回路に関し、各組は、前記複数の組から選択された１つの組を前記共通アンテナに接続するとともに選択されなかった組を前記アンテナから切り離すための、複数のＰＩＮダイオードとＤＣ電源からのスイッチング・バイアス電圧を印加するＤＣ回路網とを含む。」
・摘記事項ｂ　（第３頁第２９行ないし第４頁第２５行）
「Fig.1 shows very schematically an embodiment of the invention,
for connecting alternative transmitter powers Tx, Tx' to an 
antenna 1 via a diplex filter 2. The embodiment is highly 
symmetric, having two substantially similar branches, although 
constructed for different frequency bands. The left branch has, 
for instance, counted from the left, a transmitter terminal Tx, 
a first PIN diode D1, a λ/4 line, a second PIN diode D2, 
a capacitor C and an earth point. The point 
between the first diode D1 and theλ/4 line is connected to a 
terminal of the diplex filter 2. The point between the λ/4 line and
the second PIN diode is connected to a receiver terminal RX. The
left branch is similar, the details of which bearing a prime sign. 
At least the λ/4 lines and the branches of the duplex filter are 
specially dimensioned for the respective frequency bands.
　
　DETAILED DESCRIPTION OF EMBODIMENTS
　
DC biasing is arranged in the points VC1 and VC2 coinciding with 
the respective transmitter terminals and in a point VC3 connecting 
the respective points between the diodes D1, D2 and the 
capacitors C, C'. In this explanatory drawing, the point VC3 is 
connected by resistor 3 to earth.
 If now the point VC 1 is put at a positive potential, by 
connecting via inductance 4, this current will forward bias 
the PIN diodes D1 and D2 and create a voltage drop over 
resistance 3. If, then, VC2 is earthed via inductance 4', the 
diodes D1 and D2 will be reverse biased. A transmitter 
frequency applied to the Tx terminal will then see the 
near end of the λ/4 line as infinity and connect with low 
loss to the diplex filter 2 and the antenna 1. Any signal 
passing through the diplex filter 2 to the other branch will 
then be sufficiently attenuated by the filter so that it is unable 
to switch the reverse biased PIN diodes D1'and D2'. 
Analogously, if the pointVC1 is earthed and VC2 is put 
at a positive potential, a transmitter frequency applied to the 
TX' terminal will reach the antenna, and the left branch 
will not give rise to spurious overtones.」
　訳文「図１は、ダイプレクス・フィルタ２を介して送信器出力Ｔｘ、Ｔｘ’のどちらか１つをアンテナ１に接続する本発明の一実施例を非常に模式的に示す。この実施例は、異なる周波数帯域用に構成されているが、高度に対称的であり、２つの実質的に同じブランチを有する。例えば、左側のブランチは、左からカウントして送信器端子Ｔｘ、第１のＰＩＮダイオードＤ１、λ／４線、第２のＰＩＮダイオードＤ２、コンデンサＣおよび接地点を有する。第１のＰＩＮダイオードＤ１とλ／４線との間の点はダイプレクス・フィルタ２の端子に接続されている。λ／４線と第２のＰＩＮダイオードとの間の点は受信器端子ＲＸに接続されている。左側のブランチも同様であり、詳細にはダッシュ符号が付されている。少なくともλ／４線とデュープレクス・フィルタのブランチとは各周波数帯域に適した特別な寸法がとられている。
　実施例の詳細な説明
  ＤＣバイアスは、各送信器端子と一致する点ＶＣ１、ＶＣ２に、かつ、ダイオードＤ１、Ｄ２とコンデンサＣ、Ｃ’との間の各点を接続する点ＶＣ３に構成されている。この説明図では、点ＶＣ３は抵抗器３によって大地に接続されている。
  インダクタンス４を介して接続することによって点ＶＣ１が正電位になると、この電流は、ＰＩＮダイオードＤ１、Ｄ２に順方向バイアスをかけ、抵抗器３の両端に電圧降下を発生する。インダクタンス４’を介してＶＣ２が接地されると、ダイオードＤ１’、Ｄ２’には逆バイアスがかかる。Ｔｘ端子に印加された送信器周波数は、λ／４線の近端を無限大と見て、ダイプレクス・フィルタ２およびアンテナ１に低損失で接続する。ダイプレクス・フィルタ２を通過して他のブランチに入るすべての信号はフィルタによって十分に減衰されるので、それは逆バイアスがかかったＰＩＮダイオードＤ１’、Ｄ２’をスイッチすることはできない。同様に、点ＶＣ１が接地されかつＶＣ２が正電位になると、ＴＸ’端子に印加された送信器周波数はアンテナに到達し、左側ブランチはスプリアス・オーバートーンを誘発しない。」
・摘記事項ｃ　（第６頁第１行ないし同頁第７行）
「The voltage at point VC3 is obtained through the voltage drop 
over resistor 3a corresponding to resistor 3 in Fig. 1. This current
may come from VC 1 or from VC2 as previously explained. As 
apparent from Fig.3, the levels of VC 1, VC2 and VC3 are set by 
setting the terminals A, B and C high or low, which are connected 
to bases of transistors. Setting A and B respectively to low will 
connect inductance 4 or 4' respectively to forward current, whereas 
their setting to high will earth the respective inductances.」
　訳文「点ＶＣ３の電圧は、図１の抵抗器３に対応する抵抗器３ａの両端の電圧降下によって得られる。前に説明したように、この電流はＶＣ１またはＶＣ２から来る。図３から明らかなように、トランジスタのベースに接続された端子Ａ、Ｂ、Ｃをハイまたはローに設定することによって、ＶＣ１、ＶＣ２、ＶＣ３のレベルが設定される。ＡおよびＢをローにそれぞれ設定することは、インダクタンス４またはインダクタンス４’を順方向電流にそれぞれ接続するのに対して、それらをハイに設定することは各インダクタンスを接地することになる。」
　
　これら引用例の摘記事項及び図面（特に第１図）並びにこの分野における技術常識を考慮すると、上記引用例には、以下の発明（以下「引用発明」という。）が記載されているものと認められる。
　
　「受信器端子、送信器端子、第２のＰＩＮダイオードの接地側の点（第１図におけるＶＣ３）、インダクタンスを介してＤＣバイアスを印加する点、第１のＰＩＮダイオード、第２のＰＩＮダイオード及びλ／４線を備えた複数のスイッチング回路を備え、それぞれのスイッチ回路においては、受信器端子、λ／４線、第１のＰＩＮダイオード、送信器端子が直列接続され、λ／４線の受信器端子側が第２のＰＩＮダイオードを介して接地されるとともに、それぞれのスイッチ回路の第２のＰＩＮダイオードの接地側の点（第１図におけるＶＣ３）が互いに接続され、この点が抵抗器を介してＤＣバイアスを印加する点に接続されており、
　スイッチング回路が２つにより構成される場合（第１図に相当）、一方のスイッチング回路をオンする場合には、抵抗器を介してＤＣバイアスを印加する点を接地し、一方のスイッチング回路のインダクタンスを介してＤＣバイアスを印加する点を正電位とし、一方のスイッチング回路の第１のＰＩＮダイオード、第２のＰＩＮダイオードに順方向バイアスをかけ、抵抗器の両端に電圧降下を発生させるとともに、他方のスイッチング回路のインダクタンスを介してＤＣバイアスを印加する点を接地し、抵抗器の両端に発生した電圧による逆バイアスにより、他方のスイッチング回路の第１のＰＩＮダイオード、第２のＰＩＮダイオードをスイッチしないようにしたアンテナスイッチモジュール」
　
３．３　対比・判断
　補正発明と引用発明とを対比する。
　
ア．引用発明の「アンテナスイッチモジュール」は、摘記事項ｂによれば、異なる周波数帯域用に構成されているから、引用発明は複合高周波スイッチであるということができる。そして、引用発明の「スイッチング回路」が補正発明の「高周波スイッチ」に相当する。
　
イ．引用発明の「第１のＰＩＮダイオード」、「第２のＰＩＮダイオード」、「λ／４線」、「抵抗器」が、それぞれ補正発明の「第１ダイオード」、「第２ダイオード」、「伝送線路」、「抵抗」に相当する。　
　
ウ．補正発明に関して詳細な説明等を参照すると、補正発明の「第１端子」は受信回路に接続されており、また、「第２端子」は送信回路に接続されていることから、補正発明の「第１端子」、「第２端子」は、それぞれ引用発明の「受信器端子」、「送信器端子」に相当する。
　
エ．補正発明の「第１の制御端子」は第２ダイオードのグランド側に接続されている端子であり、「第２の制御端子」は第１ダイオードの第２端子側に接続されている端子であり、また、「共通制御端子」は第１第２の高周波スイッチの第１制御端子が互いに接続された接続点を抵抗を介して接続された端子であることから、補正発明の「第１制御端子」、「第２制御端子」、「共通制御端子」は、それぞれ引用発明の「第２のＰＩＮダイオードの接地側の点」、「インダクタンスを介してＤＣバイアスを印加する点」、「抵抗器を介してＤＣバイアスを印加する点」に相当する。
　
　したがって，補正発明と引用発明の一致点及び相違点は、次のとおりである。
　
＜一致点＞
「第１端子、第２端子、第１制御端子、第２制御端子、第１ダイオード、第２ダイオード及び伝送線路を備えた複数の高周波スイッチからなる複合高周波スイッチであって、
　前記複数の高周波スイッチの少なくとも２つを第１、第２の高周波スイッチとしたとき、前記第１、第２の高周波スイッチの各々においては、前記第１端子、前記伝送線路、前記第１ダイオード及び前記第２端子が直列接続され、前記伝送線路の第１端子側が前記第２ダイオードを介してグランドに接続されるとともに、前記第２ダイオードのグランド側に前記第１制御端子が接続され、前記第１ダイオードの第２端子側に前記第２制御端子が接続されており、
　前記第１、第２の高周波スイッチは、前記第１、第２の高周波スイッチの各第１制御端子が互いに接続されるとともに、該接続点が抵抗を介して共通制御端子に接続されており、
　前記第１の高周波スイッチをオンする場合には、前記共通制御端子に、所定の電圧が印加されるように構成されている複合高周波スイッチ。」
　
＜相違点＞
　第１の高周波スイッチをオンする場合の共通制御端子に印加する電圧が、補正発明では、「第１の高周波スイッチの第２制御端子に印加される正電圧よりも小さく、かつ、第２の高周波スイッチの第２制御端子に印加されるゼロ電圧よりも大きな電圧」であるのに対し、引用発明の共通制御端子に印加する電圧は「接地電圧」である点で相違する。
　
　上記相違点について検討する。
　本願発明も引用発明もダイオードに逆バイアス電圧を印加して、選択しない高周波スイッチをオフとするものであり、逆バイアス電圧は共通制御端子に接続される抵抗値等を調整して適宜所望のオフ特性が得られるように設計されるものと認められるところ、高周波スイッチの技術分野において、オフ状態の高周波スイッチに逆バイアス電圧を追加的に印加して確実にオフとすることは特開平６−１９７０４１号公報に示されるように周知技術であることから、十分な逆バイアス電圧を得るため、引用発明の抵抗に生じる逆バイアス電圧に加えて、該周知技術を適用して追加的な電圧を印加することは当業者が容易に成し得たことと認められる。そして、その際の電圧は、第１の高周波スイッチをオンとし、第２の高周波スイッチをオフとすることを確実にするものであることから「第１の高周波スイッチの第２制御端子に印加される正電圧よりも小さく、かつ、第２の高周波スイッチの第２制御端子に印加されるゼロ電圧よりも大きな電圧」を設定することは当然のことと認められる。
　
　したがって、補正発明は，引用例に記載された発明及び周知技術に基づいて、当業者が容易に発明をすることができたものであるから、特許法第２９条第２項の規定により、特許出願の際独立して特許を受けることができないものである。
　
４．むすび
　以上のとおり、本件手続補正は、特許法第１７条の２第５項の規定で準用する同法第１２６条第５項〔独立特許要件〕の規定に違反するものであるから、同法第１５９条第１項で準用する同法第５３条第１項〔補正却下〕の規定により却下されるべきものである。
　
第３．本願発明について
　
１．本願発明
　平成１７年５月２０日付けの手続補正は上記のとおり却下されたので、本願の請求項２に係る発明（以下、「本願発明」という。）は、平成１７年２月４日付けの手続補正書により補正された明細書及び図面の記載からみて、その特許請求の範囲の請求項２に記載された以下の通りのものと認める。
　
「【請求項２】
　第１端子、第２端子、第１制御端子、第２制御端子、第１ダイオード、第２ダイオード及び伝送線路を備えた複数の高周波スイッチからなる複合高周波スイッチであって、
　前記複数の高周波スイッチの少なくとも２つを第１、第２の高周波スイッチとしたとき、前記第１、第２の高周波スイッチの各々においては、前記第１端子、前記伝送線路、前記第１ダイオード及び前記第２端子が直列接続され、前記伝送線路の第１端子側が前記第２ダイオードを介してグランドに接続されるとともに、前記第２ダイオードのグランド側に前記第１制御端子が接続され、前記第１ダイオードの第２端子側に前記第２制御端子が接続されており、
　前記第１、第２の高周波スイッチは、前記第１、第２の高周波スイッチの各第１制御端子が互いに接続されるとともに、該接続点が抵抗を介して共通制御端子に接続されており、
　前記第１の高周波スイッチをオンする場合には、前記共通制御端子に、前記第１の高周波スイッチの前記第２制御端子に印加される電圧よりも小さく、かつ、前記第２の高周波スイッチの前記第２制御端子に印加される電圧よりも大きな電圧が印加されるように構成されている、ことを特徴とする複合高周波スイッチ。」
　
２．引用発明
　引用発明は、上記「第２　補正却下の決定」の「３．２　引用発明」の項で認定した通りである。
　
３．対比・判断
　本願発明は、前記「第２　補正却下の決定」の「１．補正後の本願発明」の項で認定した補正発明から、「第１の高周波スイッチの第２制御端子に印加される電圧」を「正電圧」とする旨の限定、及び、「第２の高周波スイッチの第２制御端子に印加される電圧」を「ゼロ電圧」とする旨の限定を削除するものである。
　そうすると、本願発明の構成要件をすべて含み、さらに他の構成要件を付加した補正発明が、上記「第２　補正却下の決定」の「３．３　対比・判断」の項に記載したとおり、引用例に記載された発明及び周知技術に基づいて当業者が容易に発明をすることができたものであるから、本願発明も同様の理由により、当業者が容易に発明をすることができたものである。
　
４．むすび
　以上のとおり、本願発明は、引用例に記載された発明及び周知技術に基いて当業者が容易に発明をすることができたものであるから、特許法第２９条第２項の規定により特許を受けることができない。
　
　よって，結論のとおり審決する。